(57)【要約】  本発明は乾燥システムに関するものであって、本発明の一側面によると、積載された粒子を移送するための移送コンベヤと、移送コンベヤの一側に設けられ、回転中心を有する回転部材と、前記回転部材を回転させるための駆動部および前記回転部材に装着され、粒子が貯蔵される粒子供給部を含む粒子分散装置および移送過程で、移送コンベヤ上に積載された粒子を乾燥させるための加熱部を含み、加熱部は熱交換器および送風ファンを含むものの、送風ファンから吐出された空気が熱交換器を通過した後、移送コンベヤに供給されるように設けられた乾燥システムが提供される。
2019536975.tif 000002
【特許請求の範囲】
【請求項１】
積載された粒子を移送するための移送コンベヤ、
前記移送コンベヤの一側に設けられた、回転中心を有する回転部材と、前記回転部材を回転させるための駆動部及び前記回転部材に装着された、粒子が貯蔵される粒子供給部とを含む粒子分散装置、及び、
移送過程で、前記移送コンベヤ上に積載された粒子を乾燥させるための加熱部
を含む乾燥システムであって、
前記加熱部が、熱交換器および送風ファンを含み、前記送風ファンから吐出された空気が前記熱交換器を通過した後、前記移送コンベヤに供給されるように設けられている、乾燥システム。
【請求項２】
前記熱交換器が、前記熱交換器を通過した空気が前記移送コンベヤの幅方向にかけて分配されるように設けられている、請求項１に記載の乾燥システム。
【請求項３】
前記熱交換器が、前記移送コンベヤの下方に配置されている、請求項１に記載の乾燥システム。
【請求項４】
前記熱交換器が、前記移送コンベヤの幅に対応するように幅方向に沿って長く延びている、請求項３に記載の乾燥システム。
【請求項５】
前記乾燥システムは、前記移送コンベヤおよび前記駆動部を制御するための制御部を含み、
前記制御部が、前記移送コンベヤに粒子を供給する時、前記回転部材の回転中心を基準として前記粒子供給部が所定の方向に弧を描きながら回転するように制御し、
前記制御部が、前記粒子供給部を回転させる時、前記移送コンベヤを停止させる、請求項１に記載の乾燥システム。
【請求項６】
前記制御部が、前記粒子供給部の回転が完了すると、積載された粒子が移送されるように前記移送コンベヤを作動させる、請求項５に記載の乾燥システム。
【請求項７】
前記制御部が、前記粒子供給部が回転中心を基準として所定の角度範囲内で互いに異なる方向に往復回転するように制御する、請求項５に記載の乾燥システム。
【請求項８】
前記粒子供給部が、ベルトコンベヤを含む、請求項１に記載の乾燥システム。
【請求項９】
前記制御部が、前記移送コンベヤの幅方向に沿って中央部よりも両側端に粒子がさらに厚く積載されるように制御する、請求項５に記載の乾燥システム。
【発明の詳細な説明】
【技術分野】
【０００１】
本発明は乾燥システムに関するものである。
【０００２】
本出願は２０１６年１２月２６日付韓国特許出願第１０−２０１６−０１７８８５３号に基づいた優先権の利益を主張し、該当韓国特許出願の文献に開示されたすべての内容は本明細書の一部として含まれる。
【背景技術】
【０００３】
乾燥システムを通じて遂行される粒子系ポリマーの乾燥工程は、移送コンベヤ上に粒子を均一に分散させた後、熱風等を通して遂行される。この時、分散オシレーター（Ｓｐｒｅａｄｉｎｇ  Ｏｓｃｉｌｌａｔｏｒ）は移送コンベヤ上にコンベヤの幅方向に沿って均一に粒子を分散および積載させるために使われる。
【０００４】
図１と図２は、粒子分散装置（分散オシレーター）１０の一作動状態を説明するための概略図である。前記オシレーター１０は、回転軸１１と前記回転軸１１に装着された粒子供給部１２を含む。この時、前記粒子供給部１２は回転軸１１を中心として所定の角度範囲内で往復移動するように設けられる。このような構造で、回転軸１１を基準として弧を描きながら粒子供給部１２が往復回転運動をして乾燥させようとする粒子Ｐを移送コンベヤ２０のベルト２１上にばら撒く方法を取る。
【０００５】
一方、図２を参照すると、ベルト２１の幅方向（ｘ軸方向）および移送方向（ｙ軸方向）に沿った位置ごとに粒子供給部１２が通り行く繰り返し時間が異なるようになり、これに伴い、全体的に粒子Ｐが不均一に積もるようになる。
【０００６】
説明の便宜のために、移送コンベヤ２０が３ｃｍ／ｓでベルト２１を移送し、オシレーター１０が往復回転して初期位置に復帰する時間を１０秒と仮定する。図２の粒子の塗布軌跡Ｌを参照すると、ベルト２１の両側には１０秒ごとに（この時、ベルトは３０ｃｍ前進した状態）粒子がばら撒かれるようになる。これとは異なり、ベルト２１の中央部には５秒ごとに（この時、ベルトは１５ｃｍ前進した状態）粒子がばら撒かれるようになる。このように、オシレーター１０が往復しながら粒子をばら撒くため、位置ごとに粒子がばら撒かれる間隔または時間が異なることを確認することができる。符号ＭＤ（ｍｏｖｉｎｇ  ｄｉｒｅｃｔｉｏｎ）は移送コンベヤの移送方向を示す。
【０００７】
また、ベルト２１上に粒子が不均一に分布されると、乾燥工程時の圧力差などによって部分的に未乾燥が発生するようになり、全体的な製品の物性制御が難しくなる。したがって、移送コンベヤ上に粒子を均一に分散させることが重要である。
【０００８】
また、移送コンベヤを通じて移送される粒子を乾燥させるための加熱部は熱風乾燥器を使用し、乾燥のために熱交換器を通過した熱風は分配板を通って移送コンベヤ側に供給される。前記分配板は、移送コンベヤの幅方向に沿って熱風が均一に伝達されるように分配する機能を遂行する。また、熱交換器を追加に設置する場合、熱交換器を通過前／後の圧力差が発生し、これは乾燥チャンバー内を循環する熱風の流量を減少させる原因となるため、熱交換器を追加することには制約がある。また、乾燥チャンバー内の設置空間によっては熱交換器を追加することに制約がある。
【発明の概要】
【発明が解決しようとする課題】
【０００９】
本発明は粒子を移送コンベヤ上に均一に分散させることができ、広い電熱面積で、移送コンベヤの幅方向にかけて均一な流量分布を有する乾燥システムを提供することを解決しようとする課題とする。
【課題を解決するための手段】
【００１０】
前記の課題を解決するために、本発明の一側面によると、積載された粒子を移送するための移送コンベヤ、移送コンベヤの一側に設けられた、回転中心を有する回転部材と、前記回転部材を回転させるための駆動部及び前記回転部材に装着された、粒子が貯蔵される粒子供給部とを含む粒子分散装置、並びに、移送過程で、移送コンベヤ上に積載された粒子を乾燥させるための加熱部を含む乾燥システムであって、加熱部が、熱交換器および送風ファンを含み、送風ファンから吐出された空気が熱交換器を通過した後、移送コンベヤに供給されるように設けられている乾燥システムが提供される。
【００１１】
また、熱交換器は熱交換器を通過した空気が移送コンベヤの幅方向にかけて分配され得るように設けられ得る。
【００１２】
また、熱交換器は移送コンベヤの下方に配置され得る。
【００１３】
また、熱交換器は移送コンベヤの幅に対応するように幅方向に沿って長く延びた形状を有し得る。
【００１４】
また、乾燥システムは移送コンベヤおよび駆動部を制御するための制御部を含むことができる。
【００１５】
また、制御部は移送コンベヤに粒子を供給する時、回転部材の回転中心を基準として粒子供給部が所定の方向に弧を描きながら回転するように制御することができる。
【００１６】
また、制御部は粒子供給部を回転させる時、移送コンベヤを停止させるように設けられ得る。
【００１７】
また、制御部は粒子供給部の回転が完了すると、積載された粒子が移送されるように移送コンベヤを作動させることができる。
【００１８】
また、制御部は粒子供給部が回転中心を基準として所定の角度範囲内で互いに異なる方向に往復回転するように制御することができる。
【００１９】
また、粒子供給部はベルトコンベヤを含むことができる。
【００２０】
また、制御部は移送コンベヤの幅方向に沿って中央部よりも両側端に粒子がさらに厚く積載されるように制御することができる。
【発明の効果】
【００２１】
以上で詳察した通り、本発明の少なくとも一実施例と関連した乾燥システムは次のような効果を有する。
【００２２】
粒子を移送コンベヤ上に均一に分散させることができ、広い電熱面積で、移送コンベヤの幅方向にかけて均一な流量分布を形成することができる。
【００２３】
また、粒子供給部の回転により、粒子が移送コンベヤに積載される時には、移送コンベヤの移送を停止させ、粒子供給部の回転が完了すると、再び移送コンベヤを移動させることによって、粒子を移送コンベヤ上に均一に分散させることによって、乾燥効率を向上させることができる。
【図面の簡単な説明】
【００２４】
【図１】粒子分散装置の一作動状態を説明するための概略図である。
【図２】粒子分散装置の一作動状態を説明するための概略図である。
【図３】本発明の一実施例と関連した乾燥システムを構成する粒子分散装置の一作動状態を説明するための概略図である。
【図４】本発明の一実施例と関連した乾燥システムを構成する加熱部を示す概略図である。
【発明を実施するための形態】
【００２５】
以下、本発明の一実施例に係る乾燥システムを添付された図面を参照して詳細に説明する。
【００２６】
また、図面符号にかかわらず、同一であるか対応する構成要素は同一または類似の参照番号を付与してこれに対する重複説明は省略し、説明の便宜のために図示された各構成部材の大きさおよび形状は誇張されるか縮小され得る。
【００２７】
図３は本発明の一実施例と関連した乾燥システムを構成する粒子分散装置の一作動状態を説明するための概略図であり、図４は本明細書の一実施例と関連した乾燥システムを構成する加熱部１００を示す概略図である。
【００２８】
本発明の一実施例と関連した乾燥システムは、積載された粒子Ｐを移送するための移送コンベヤ２０と、粒子分散装置１０および移送過程で、移送コンベヤ２０上に積載された粒子を乾燥させるための加熱部１００を含む。
【００２９】
粒子分散装置１０は、移送コンベヤ２０一側に設けられ、回転中心Ｃを有する回転部材１１と、前記回転部材１１を回転させるための駆動部および前記回転部材１１に装着され、粒子が貯蔵される粒子供給部１２を含む。粒子分散装置１０を通じて、移送コンベヤ２０上に粒子Ｐが積載されると、移送コンベヤ２０は粒子を加熱部１００に移送する。
【００３０】
また、前記移送コンベヤ２０は多様な種類のコンベヤを使用することができ、例えば、移送コンベヤ２０はベルト２１コンベヤであり得る。
【００３１】
説明の便宜のために、移送コンベヤ２０はベルトコンベヤであるものを例に挙げて説明し、図面上で粒子Ｐはベルト２１上に積載されて移送されるものとして説明する。
【００３２】
図４を参照すると、前記加熱部１００は乾燥空間を提供する乾燥チャンバー１１０を含む。前記乾燥チャンバー１１０には、外部の空気が流入する流入口１１１および乾燥チャンバー１１０内のガス、異物などを外部に排出するための排出口１１２がそれぞれ設けられる。
【００３３】
また、加熱部１００は乾燥チャンバー１１０内にそれぞれ配置された熱交換器１３０および送風ファン１２０を含む。ここで、加熱部１００は送風ファン１２０から吐出された空気が熱交換器１３０を通過した後、移送コンベヤ２０に供給されるように設けられる。
【００３４】
また、熱交換器１３０は、熱交換器１３０）を通過した空気が移送コンベヤ２０の幅方向（図２のｘ軸方向）にかけて分配され得るように設けられる。また、熱交換器１３０は移送コンベヤ２０の下方に配置される。特に、熱交換器１３０は移送コンベヤ２０の幅に対応するように幅方向に沿って長く延長される。このような構造を通じて、従来の分配板を使用せずとも、均一な流量分布を形成することができ、広い電熱面積を確保することができる。
【００３５】
また、前記加熱部１００は送風ファン１２０の流入側と流出側に区分するための隔壁１４０を含む。すなわち、前記隔壁１４０により、前記送風ファン１２０から流出した空気は熱交換器１３０側にのみ伝達され、熱交換器１３０を通過した熱風はベルト２１側にのみ供給される。
【００３６】
前記粒子分散装置１０は、移送コンベヤ２０の一側に設けられ、回転中心を有する回転部材１１を含む。また、粒子分散装置１０は前記回転部材１１を回転させるための駆動部（図示されず）および前記回転部材１１に装着され、粒子が貯蔵される粒子供給部１２を含む。前記粒子分散装置１０は移送コンベヤ２０および駆動部を制御するための制御部（図示されず）を含む。
【００３７】
また、前記制御部は前記加熱部を制御する。
【００３８】
一方、駆動部は例えば、前記回転部材１１と軸連結されたモーターを含むことができる。前記粒子供給部１２は、振動などによって粒子を移送コンベヤ２０上に落下させることができるものであればその種類は制限されないが、例えば、粒子供給部１２はベルトコンベヤを含むことができる。したがって、ベルト上に積載された粒子Ｐは粒子供給部１２の作動により移送コンベヤ２０のベルト２１上に塗布され得る。また、粒子供給部１２としては多量の粒子が貯蔵されたホッパー（図示されず）等を通して粒子が供給され得る。
【００３９】
図３を参照すると、制御部は移送コンベヤ２０に粒子を供給する時、回転部材１１の回転中心を基準として粒子供給部１２が所定方向（時計回り方向および／または反時計回り方向）に弧を描きながら回転するように制御する。
【００４０】
制御部は粒子供給部１２を回転させる時、移送コンベヤ２０を停止させる。また、制御部は粒子供給部の回転が完了すると、積載された粒子が移送されるように移送コンベヤを作動させる。符号ＭＤは移送コンベヤの移送方向を示す。また、２１は粒子が積載される移送コンベヤ２０のベルトを示す。
【００４１】
また、制御部は、粒子供給部１２が回転中心を基準として所定の角度範囲内で互いに異なる方向（時計回り方向および反時計回り方向）に往復回転するように制御する。例えば、制御部は粒子供給部１２が回転中心を基準として時計回り方向に回転するように制御した後、粒子供給部１２が回転中心を基準として反時計回り方向に回転するように制御する。すなわち、１回の往復回転移動が完了すると、粒子供給部１２は初期位置に復帰する。
【００４２】
また、粒子供給部１２は一方向に回転が完了した後、移送コンベヤ２０の幅方向の端に位置することができる。また、幅方向とは移送方向（ＭＤ）に直交する方向を意味する。
【００４３】
具体的には、制御部は、粒子供給部１２を第１方向（時計回り方向）に回転させる時、移送コンベヤ２０を停止させる。また、制御部は粒子供給部１２の第１方向への回転が完了すると、積載された粒子が移送されるように移送コンベヤ２０を作動させる。
【００４４】
以後、制御部は粒子供給部１２を第１方向の反対方向である第２方向（反時計回り方向）に回転させる時、移送コンベヤ２０を再び停止させる。また、制御部は粒子供給部１２の第２方向への回転が完了すると、積載された粒子が移送されるように移送コンベヤ２０を再び作動させる。
【００４５】
また、制御部は、移送コンベヤ２０の幅方向に沿って中央部よりも両側端に粒子がさらに厚く積載されるように制御することができる。すなわち、前記のような方法で移送コンベヤ２０上に粒子を積載する場合、移送コンベヤ２０の幅方向に沿って両側端に積載された粒子の厚さが厚くなり得るが、加熱部で強い熱風によって浮くことを防止できる効果を有する。
【００４６】
前述した本発明の好ましい実施例は例示の目的のために開示されたものであって、本発明に対する通常の知識を有する当業者であれば、本発明の思想と範囲内で多様な修正、変更、付加が可能であり、このような修正、変更および付加は下記の特許請求の範囲に属するものと見なされるべきである。
【００４７】
本発明に係る乾燥システムは、粒子を移送コンベヤ上に均一に分散させることができ、広い電熱面積で、移送コンベヤの幅方向にかけて均一な流量分布を形成することができる。
【符号の説明】
【００４８】
１０  粒子分散装置
１１  回転部材
１２  粒子供給部
２０  移送コンベヤ
２１  ベルト
１００  加熱部
１１０  乾燥チャンバー
１１１  流入口
１１２  排出口
１２０  送風ファン
１３０  熱交換器
１４０  隔壁
【図１】
2019536975.tif 000003
【図２】
2019536975.tif 000004
【図３】
2019536975.tif 000005
【図４】
2019536975.tif 000006
【国際調査報告】
2019536975.tif 000007
2019536975.tif 000008
2019536975.tif 000009
2019536975.tif 000010